(57)【特許請求の範囲】
【請求項１】
舞台床下方に位置する奈落床の奈落床側迫り穴周辺に迫り床が奈落床レベルより上位にあるときに奈落床レベルの上方へ手摺を立ち上げ可能に設けた奈落床の手摺装置において、手摺を奈落床側迫り穴周辺に昇降自在に設け、この手摺の下部に複数の滑車を回転自在に取り付けると共に、一端が迫り床側に固着され、他端が舞台床側に固着されたワイヤロープに上記滑車を掛けることで上記手摺を迫り床に対して吊り下げ、この迫り床の昇降動作に伴い手摺が昇降するようにしたことを特徴とする奈落床の手摺装置。
【請求項２】
迫り床に下方に延びるガイドフレームを設け、このガイドフレームに手摺を垂直方向に昇降ガイドする手摺ガイドを設けたことを特徴とする請求項１に記載の奈落床の手摺装置。
【発明の詳細な説明】
【０００１】
【発明の属する技術分野】
この発明は、奈落床の迫り穴周辺に設けられて、人が迫り穴内に落下するのを防止する奈落床の手摺装置に関する。
【０００２】
【従来の技術】
劇場，演舞場などの大型の舞台装置においては、舞台床の一部に設けた迫り穴を介して俳優や大道具を載せた迫り床を奈落から迫り上げることにより、舞台効果を高めるようにされている。
【０００３】
また、その迫り床が奈落床レベルから舞台床レベルまでの空間を昇降できるようにするために、奈落床の迫り穴のピット底に油圧シリンダなどを含む迫り床の昇降装置が設置されている。
【０００４】
このような舞台装置は、例えば、図３に示すように構成され、客席側床１より一段高い位置に舞台床２が設けられ、この舞台床２の下方（下位）に奈落床３が設けられている。
【０００５】
また、この奈落床３には、奈落床側迫り穴４が設けられ、この奈落床側迫り穴４内において、これの底面としてのピット底５に設置した昇降装置６により昇降駆動される迫り床７が、奈落床３のレベルと一致する位置に支持されている。
【０００６】
一方、舞台床２の上記奈落床側迫り穴４に対向する位置には、舞台床側迫り穴８が設けられており、この舞台床側迫り穴８を使用することで、上記昇降装置６の作動によって、迫り床７を舞台床２レベルと一致する位置に上昇可能としている。
【０００７】
また、奈落床側迫り穴周辺の奈落床３上には、迫り床７が舞台床２レベルに上昇した後、人が奈落床３から奈落床側迫り穴４内に落下するのを防止する手摺９が設けられている。
【０００８】
ところで、かかる手摺９は、俳優や大道具を奈落床３から迫り床７へ載せたり降したりするのを妨害しないように、迫り床７が奈落床３のレベルにあるときには、奈落床３の床下へ落し込んだり、倒したりするような構成とされている。
【０００９】
図４は、かかる奈落床の手摺装置の従来例を示すが、これは、奈落床側迫り穴４のピット壁１０に、複数個の手摺ガイド１１と固定滑車１２を支持するブラケット１３とを取り付け、その手摺ガイド１１に対し枠組形の手摺９を昇降自在に支持させたものからなる。
【００１０】
また、奈落床側迫り穴４の底部となるピット底５には、減速機付きのモータ１４が設けられ、このモータ１４の回転を図示しない傘ギャなどを有する回転方向変換部１５を介して、４個の巻取りドラム１６を支持するシャフト１７に伝達可能としている。
【００１１】
上記の巻取りドラム１６には、ワイヤロープ１８の一端が止着され、このワイヤロープ１８の他端は固定滑車１２を介して手摺９下部のブラケット１９に止着されている。
【００１２】
つまり、手摺９は、巻取りドラム１６に巻き付けられたワイヤロープ１８の他端に止着されて、固定滑車１２に吊持された形態をなす。
【００１３】
従って、このような奈落床の手摺装置では、迫り床７の昇降動作に合わせて、モータ１４を正逆転方向に駆動し、ワイヤロープ１８の巻取りドラム１６に対する巻取り，巻戻しを行うことで、手摺９を奈落床側迫り穴４の周辺の奈落床３レベルの上方に立ち上げたり、そのレベルの下方へ降したりすることができる。
【００１４】
これにより、迫り床７および奈落床３間の、俳優や大道具の移し替えの容易化と迫り床７の上昇後における奈落床側迫り穴４内への人や物の落下を回避できることになる。
【００１５】
また、上記のようなモータ１４の駆動力を利用してワイヤロープ１８の巻取り，巻戻しを行う方式に代えて、手摺９に止着される側とは反対側のワイヤロープ１８端に、その手摺９より大きい重量のカウンタウエイトを吊持させるものも提供されている。
【００１６】
これによれば、手摺９が、カウンタウエイトの重量により常時上方へ付勢されて、図示しないストッパに係止されて停止する状態で奈落床３レベルの上方に突出する。
【００１７】
一方、舞台床２のレベルにある迫り床７を下降させるときに、その迫り床７の下面を、手摺９の一部に当接させながら下方へ押し下げることで、迫り床７を奈落床３レベルの下方に位置させることができる。
【００１８】
これにより、奈落床３から迫り床７上への俳優の乗り降りが可能となり、一方迫り床７が上昇すると、これと共に上昇する手摺９によって、奈落床側迫り穴４への人の落下を未然に防止できることになる。
【００１９】
【発明が解決しようとする課題】
しかしながら、上記のモータを駆動源とする奈落床の手摺装置にあっては、モータ駆動時の騒音を避けられず、演舞中，演劇中にはこの騒音が客席へ洩れるなどして、演出効果や雰囲気を阻害するという課題があった。
【００２０】
一方、上記のカウンタウエイトを昇降する形式の手摺装置にあっては、迫り床７が下降して手摺９に当るときに衝突音を発生するほか、迫り床が上昇して手摺９の上昇が規制される位置で、手摺９と図示しないストッパとの衝突による衝突音を発生し、これが客席側に洩れて演出効果や雰囲気を減退するという課題があった。
【００２１】
もっとも、上記のような衝突音を減らすには、上記のような衝突の直前で迫り床７や手摺９の上昇または下降のスピードを落すようにする制御が可能であるがこの場合にはシステムのコストアップを招くほか、迫り床における乗心地が悪くなるという課題があった。
【００２２】
この発明は、上記のような課題を解決するものであり、手摺の昇降時にモータ駆動による雑音，騒音の発生または昇降時の衝突音の発生による演出効果の減退を回避できるとともに、迫り床における乗心地の改善およびシステムのコストダウンを図ることができる奈落床の手摺装置を得ることを目的とする。
【００２３】
【課題を解決するための手段】
前記した目的の達成のために、請求項１の発明にかかる奈落床の手摺装置は、舞台床下方に位置する奈落床の奈落床側迫り穴周辺に迫り床が奈落床レベルより上位にあるときに奈落床レベルの上方へ手摺を立ち上げ可能に設けた奈落床の手摺装置において、手摺を奈落床側迫り穴周辺に昇降自在に設け、この手摺の下部に複数の滑車を回転自在に取り付けると共に、一端が迫り床側に固着され、他端が舞台床側に固着されたワイヤロープに上記滑車を掛けることで上記手摺を迫り床に対して吊り下げ、この迫り床の昇降動作に伴い手摺が昇降するようにした。
【００２４】
また、請求項２の発明にかかる奈落床の手摺装置は、迫り床に下方に延びるガイドフレームを設け、このガイドフレームに手摺を垂直方向に昇降ガイドする手摺ガイドを設けたものである。
【００２７】
【発明の実施の形態】
以下に、図示した一実施の形態に基づいて、この発明を説明するが、図１は、この発明の奈落床の手摺装置を示す斜視図であり、図３に示した場合と同様にして、ピット壁１０には複数の手摺ガイド１１が取り付けられており、これらの手摺ガイド１１には枠組形の手摺９が昇降自在にガイド支持されている。
【００２８】
また、手摺９の左右の下端部には二本のガイド溝を有する各一の滑車としてのガイドプーリ２０が回転自在に取り付けられ、さらにこれらの各ガイドプーリ２０間に、一本のガイド溝を有するガイドプーリ２１が二個ずつ回転自在に取り付けられている。
【００２９】
一方、上記各ガイドプーリ２０に対向する垂直上方位置の舞台床側には、二つ目型アイプレートとしてのブラケット２２が取り付けられており、他の各ガイドプーリ２１に対向する垂直上方位置の迫り床７下面には、一つ目型アイプレートとしてのブラケット２３が取り付けられている。
【００３０】
そして、各ブラケット２２，２３に各一端に止着された二本ずつのワイヤロープ１８が、各一のガイドプーリ２０およびガイドプーリ２１を吊持するように支承している。
【００３１】
このとき、一方のガイドプーリ２１は、一本のワイヤロープ１８をガイドし、他方のガイドプーリ２０は二本のワイヤロープ１８を同時にガイドする。
【００３２】
なお、図示しないが、上記迫り床７は、周知の昇降装置によって、舞台床２および奈落床３間を昇降駆動可能とされている。
【００３３】
かかる構成になる奈落床の手摺装置では、手摺９がガイドプーリ２０，２１およびワイヤロープ１８によって迫り床７に対し、吊り下げられた構成となっているため、迫り床７の上昇によって手摺９も上昇し、迫り床７の下降によって手摺９も下降する。
【００３４】
従って、例えば、迫り床７が舞台床２領域レベルから奈落床３レベルへ下降しようとする場合には、上記のように、図示しない昇降装置によって、迫り床７が下降する。これにより、各ガイドプーリ２０，２１にガイドされた迫り床７側のワイヤロープ１８も同様に同量分下降する。
【００３５】
ここで、各ガイドプーリ２１は、一個の動滑車として機能するため、迫り床７の下降量に対して、この動滑車であるガイドプーリ２１を介してワイヤロープ１８により吊持された手摺９の下降量は、この実施の形態では、１／２となる。
【００３６】
従って、必要に応じて、迫り床７が舞台床２レベルにあるとき、手摺９が奈落床３レベルよりも最高の上位にあるように、かつ迫り床７が奈落床３レベルにあるとき手摺９の上端がその奈落床３の下方に位置するように、上記ワイヤロープ１８の長さ、およびガイドプーリおよび舞台床側に固定する固定滑車の配置場所を任意に選択することで、迫り床７と手摺９とを同期的に昇降動作させながら、それぞれ最適のレベルに保持できる。
【００３７】
これによって、奈落床３レベルにおける迫り床７への人の乗降が容易に行えるようにできるとともに、迫り床７が舞台床２レベル付近にあるとき、奈落床側迫り穴４周辺に手摺をゆっくりかつ静かに突出させて、その奈落床側迫り穴４内へ奈落床３上を移動する人や物が不用意に落下する危険を未然に回避することができる。
【００３８】
図２は、この発明の実施の他の形態を示す。これは、前記同様の手摺ガイド１１を迫り床７の下面に垂下固定した一対のガイドフレーム２４に２個ずつ取り付けたものであり、これらの手摺ガイド１１に、上記と同様に、手摺９の両端を昇降自在にガイド支持させることができる。
【００３９】
従って、これによれば、ピット壁１０に手摺９をガイドするための手摺ガイドなどの部品を取り付ける必要がなくなる。つまり、ピット壁に何らの加工，工事を施すことなく、手摺を持った迫り床７を奈落床側迫り穴に簡単に設置することができる。
【００４０】
以上のように、請求項１の発明によれば、手摺を奈落床側迫り穴周辺に昇降自在に設け、この手摺の下部に複数の滑車を回転自在に取り付けると共に、一端が迫り床側に固着され、他端が舞台床側に固着されたワイヤロープに上記滑車を掛けることで上記手摺を迫り床に対して吊り下げ、この迫り床の昇降動作に伴い手摺が昇降するように構成したので、手摺の昇降のために特別の駆動源を用いることなく、従って騒音の発生がなく、迫り台とともに手摺を最適レベル位置に向かって同期昇降させることができる。
【００４１】
従って、演出中におけるモータ音や衝突音による観客の不快感を払拭できるほか、手摺の昇降システム全体の構成の簡素化とローコスト化を実現できるという効果が得られる。
【００４２】
また、動滑車の原理を用いて手摺を静かに昇降させることで、従来のように、衝突音発生の防止のために迫り床の速度を変化させる必要がなくなり、従って、高価な速度制御手段を用いる必要もなくなり、迫り床の乗心地を悪化するおそれもないという利点が得られる。
【００４４】
そして、請求項２の発明によれば、迫り床に下方に延びるガイドフレームを設け、このガイドフレームに手摺を垂直方向に昇降ガイドする手摺を設けたので、ピット壁に手摺ガイドなどの突出物を設けるための加工や工事を省くことができ、奈落床側迫り穴の奈落床および手摺の取付工事の簡略化と工事コストの低減を図れるという効果が得られる。
【図面の簡単な説明】
【図１】この発明の実施の形態による奈落床の手摺装置を示す要部の斜視図である。
【図２】この発明の実施の他の形態による奈落床の手摺装置を図１と同様に示す図である。
【図３】従来の舞台装置を概念的に示す断面図である。
【図４】従来の手摺装置を示す一部の斜視図である。
【符号の説明】
２  舞台床
３  奈落床
４  奈落床側迫り穴
７  迫り床
９  手摺
１０  ピット壁
１１  手摺ガイド
１８  ワイヤロープ
２０，２１  滑車たるガイドプーリ
【図１】
0003886081.tif 000002
【図２】
0003886081.tif 000003
【図３】
0003886081.tif 000004
【図４】
0003886081.tif 000005